(57)【要約】【課題】自動改札機等の高価な装置を採用せずに安価かつトラブルが少なく信頼性のあるシステムを構築する。一般入場者自らがリーダにかざすシステムとすることで入場処理にかかる時間が短くする。また会場係員を少なくする。【解決手段】ＩＣ素子を含むＲＦタグを内蔵し、ＩＣ素子のＩＤ情報が券１枚ごとに異なった番号であり、感熱発色層または感光発色層が塗布または印刷された入場券媒体を用い、入場の際、一般入場者自身が入場券を直接かざすＲＦタグリーダユニットを用意する。  またＲＦタグリーダユニットより通信回線を介してＲＦＩＤ情報管理サーバへアクセスすることでサーバ内にて入場券情報の管理ができ、テーマパークへの入退場をすることができるテーマパーク内のＲＦＩＤ情報管理システムが構築でき、安価かつ一般入場者がスムーズに利用できるＲＦＩＤ情報管理入退場システムを可能とした。【選択図】図１
2007156661.tif 000002
【特許請求の範囲】
【請求項１】
ＩＣ素子を含むＲＦタグを内蔵し、ＩＣ素子のＩＤ情報が券１枚ごとに異なった番号である入場券を用い、入場者がテーマパークへの入退場をすることができるテーマパーク内のＲＦＩＤ情報管理システムにおいて、
一般入場者自身が入場ゲートに設置されているＲＦタグリーダユニットに入場券をかざしてテーマパークへ入退場することでき、入場券がＲＦタグリーダユニットにかざされた際、入場券にあらかじめ塗布または印刷された感熱発色層または感光発色層が変色し、その入場券が使用されたこと、入場済みであることが人間の眼で見てわかるための入場券への表示手段。
【請求項２】
請求項１のＲＦＩＤ入場管理システムにおいて、
ＩＣ素子のＩＤ情報を読取るためのＲＦタグリーダユニットに感熱部または感光露光部が設けてあり、一般入場者自身が入場のためＲＦタグリーダユニットに入場券をかざした際、かざされた入場券に対して入場券媒体側に塗布または印刷された感熱発色層または感光発色層を発色させるためのＲＦタグリーダユニット。
【請求項３】
請求項１のＲＦＩＤ入場管理システムにおいて、
ＩＣ素子のＩＤ情報を読取れなかった場合、入場券側の感熱発色層または感光発色層を発色させるために必要な時間かざされなかった場合、ＲＦタグリーダユニットに内蔵されたスピーカより電子音または録音された音声にて、または同様にＲＦタグリーダユニットに内蔵された表示パネルにて入場不可であることを入場者へ伝える手段を備えているＲＦタグリーダユニット。
【発明の詳細な説明】
【技術分野】
【０００１】
本発明は入場券に内蔵されたＩＣ素子のＩＤ情報を認証することで、入場者の入退場を管理するＲＦＩＤ情報管理システムを採用している遊園地、イベント会場、テーマパークにおいて、その入場券が使用済み券であることが、人間の眼で見てわかるための入場券への表示方法およびそのシステムに関する。
【背景技術】
【０００２】
近年、価値の高いイベント会場、遊園地、テーマパーク等で使用される入場券には、偽造防止のためＩＣ素子等のＲＦタグを内蔵している入場券を使用する場合が増えている。個々のＩＣ素子を含んだ入場券を使用するためＲＦＩＤ情報管理サーバでは入場済みであることを管理することは可能であるが、入場券媒体自身が使用されたかについて人間の眼で見てわからないと金券ショップ、インターネット等で再販されてしまう恐れがある。入場済みである入場券を人が眼で見てわかる方法といえば、駅改札にある自動改札機に入場券を投入し穿孔する、会場アテンダントが入場券に切り掛けを入れるまたは半券をちぎる、入場済みのスタンプを押すなどで対応している。
【０００３】
媒体側にマークを付ける事例としては、ＩＣカードに使用済みのマークを印字するものとして特開２０００−１９４８０４号公報をはじめ多数が公開されている。
【０００４】
また、媒体側に対し穿孔を与える事例として、特開２００２−２６００２８号公報に示されている。本事例はゲートシステムにおいて認証後、媒体側の共振タグの破壊を目的とし穿孔を与えるものである。
【０００５】
また、公知の技術としては愛知万博の入場券システムがあげられる。本システムは入場券に非接触ＩＣ素子を内蔵した入場券を採用したにもかかわらず、一般入場者自身がＲＦタグリーダユニットにかざすタイプのゲートは採用されなかった。一般入場者がかざすタイプのゲートを採用した場合、入場券のＩＤ情報を管理するＲＦＩＤ情報管理サーバとしては入場済みフラグが立ちシステム上は成立し、ゲートにて入場済み券を不正に使用された際、アラーム等を上げ係員に知らせることができる。
【０００６】
しかしながら入場券媒体自身に何も印をつけない、つまり使用前と使用後で人の眼で見て何ら変わらない場合、金券ショップやインターネット等で再販される恐れがあるとの指摘があり、入場券媒体側に穿孔し人の眼で見て入場済みとわかる手段が必須となった。ゆえに鉄道改札機タイプのゲートを採用し、一般入場者が入場券を投入、入場券にパンチ穴を穿孔する方法を採用している。
【０００７】
【特許文献１】特開２０００−１９４８０４号公報
【特許文献２】特開２００２−２６００２８号公報
【発明の開示】
【発明が解決しようとする課題】
【０００８】
ＲＦＩＤ情報管理サーバで、入場券に内蔵されているＩＣ素子のＩＤの認証が済み、入場済みである入場券を人が眼で見てわかる手段といえば、駅改札にある自動改札機に入場券を投入しパンチ穴を開けるなどをする。また、会場アテンダントが入場券に切り掛けを入れる、半券をちぎる、入場済みのスタンプを押すなど考えられる。
【０００９】
まず自動改札機を採用した場合の課題について説明する。第一に自動改札機自体が大変高価であり、コストがかかるシステムとなってしまう。さらに自動改札機は複雑なメカ機構を有する装置であるため、環境条件によっては入場券の詰まりやパンチ機構の異常等が発生する可能性がある。同様にエレキ的なトラブルも発生することも考えられる。万が一トラブルが発生した場合は、その都度、装置を停止させ、遠隔より専用保守員がかけつけ対応しなければならない。トラブル要因の解明に時間がかかってしまい、装置を長時間停止させた時は入場待ちの渋滞となり、クレームの要因となりかねない。
【００１０】
また、入場券媒体を低コストに抑えようと考えた場合、紙媒体を使用するのが一般的である。紙媒体を使用した時、雨や湿度等の環境条件により媒体自身が変形し、そのような媒体を自動改札機のような複雑なメカに搬送させた場合、入場券の詰まり等のトラブル要因が増える。変形を抑えることを考えると媒体の材質をプラスチック等の硬いものにしなければならないが、コスト面から有効な手段とは言えない。
【００１１】
また、後者に記述した会場アテンダントが入場券に切り掛けを入れる、半券をちぎる等の手段では、一日数十万人の来場者がある博覧会や人気のテーマパーク等では入場をさばききれず、この場合こそ頻繁に入場待ちの渋滞をおこしてしまう。また莫大な人件費も必要となってくる。
【００１２】
ＩＣカードに使用済みのマークを印字するものとしては特開２０００−１９４８０４号公報をはじめ多数が公開されているが、自動改札機等の複雑なメカ機構に投入しなければならない構造のもので、一般入場者自身がＲＦタグリーダユニットにかざすタイプのゲートでは実現できないものと考える。
【００１３】
また、特開２００２−２６００２８号公報に媒体側に穿孔を与える技術が示されているが、媒体側の共振タグの破壊を目的とし穿孔を与えるものであり、媒体自身を見て使用済みや入場済みなど目視で確認する目的のものではない。また破壊手段も具体的に記載はなく、入場券を自動改札機等の複雑なメカ機構に投入する以外に実現は考えがたく、前者と同様、一般入場者がＲＦタグリーダユニットにかざすタイプのシステムでは実現ができない。
【課題を解決するための手段】
【００１４】
上記目的を達成するために、ＩＣ素子を含むＲＦタグを内蔵し、ＩＣ素子のＩＤ情報が券１枚ごとに異なった番号であり、感熱発色層、感光発色層にて入場済みの文字、印が塗布または印刷されている入場券と、
その入場券の真偽判定のため、入場者自身がかざす認証を装置で、ＩＣ素子を含むＲＦタグを読取るリーダ機能と、熱を発生させるまたは紫外線を発光し入場者が入場券をかざした後、入場済みであることを入場券媒体側に表示を目的とする感熱部、露光部と、
ＩＤの認証完了および入場券の感光、露光が完了したことを知らせるためのスピーカ、または表示部とを具備したＲＦタグリーダユニットと、
ＲＦタグリーダユニットとＲＦＩＤ情報管理サーバとを通信回線を介して、その入退場の管理するＲＦＩＤ情報管理システムを構築する。
【発明の効果】
【００１５】
以上のように本発明では、従来のシステムにあった自動改札機等の高価な装置を採用しないため安価かつトラブルが少なく信頼性のあるシステムを構築できること、一般入場者自らがリーダにかざすシステムとなることで入場処理にかかる時間が短くなること、また会場係員を少なくできることなどの効果がある。
【発明を実施するための最良の形態】
【００１６】
近年、遊園地、イベント会場、テーマパーク等の入場券は、偽造防止のため超小型ＩＣ素子とアンテナで構成されるＲＦタグを内蔵させたものが増えてきている。本発明のシステムは前記入場券を用い、テーマパーク等への入退場の管理が行なえるものである。
【００１７】
図１は前記入場券を用いたテーマパーク1のシステムの全体概略図である。
【００１８】
テーマパーク１内にはＩＣ素子のＩＤ情報を管理するＲＦＩＤ情報管理サーバ５、複数のエリアに複数台設置された入場ゲート２，３が光ファイバ、ＬＡＮ等の通信回線４で接続されている。
【００１９】
次に図２を用いて本システムにて使用する入場券媒体１１を説明する。
【００２０】
入場券媒体１１には超小型ＩＣ素子とアンテナで構成されるＲＦタグ１３を内蔵されている。ＩＣ素子のＩＤ情報はＲＦＩＤ管理サーバで管理するためＲＯＭタイプのもので構わない。媒体の材質としては特に任意であるが、コストを考えた場合紙媒体が一般的である。雨等の水対策として親油性材質のコーティングをほどこし、ＩＣ素子のみ破壊されないように考えておく。後述する本発明の入場ゲートは、一般入場者自身がタッチするタイプである。従来にあった駅にある自動改札機に投入するタイプではなく、つまり媒体を複雑なメカ機構に搬送させないため、媒体が多少折れたり曲がったりしても入場券が詰まるなどの問題は発生しないため紙媒体で十分である。
【００２１】
さらに入場券媒体には入場した際、入場した証拠を示すための文字または印として感熱発色層または感光発色層１２を塗布または印刷しておく。
【００２２】
感熱材料としては、電子供与性無色染料と電子受容性化合物との反応を利用したもの、ジアゾニウム塩とカプラーとの反応を利用したものなどが広く知られている。また感光材料としては、ハロゲン化銀を利用したものが一般的である。
【００２３】
次に図３、図４を用いて本発明の入場ゲートの詳細について説明する。
【００２４】
図３は本発明の入場ゲートの概略を示したもの、また図４はＲＦタグリーダユニット２２の詳細を示したものである。
【００２５】
本入場ゲートには一般入場者自身が自ら入場券をかざすためのＲＦタグリーダユニット２２が据え付けられており、一般入場者が整列して入場できるような外観２１となっている。ＲＦタグリーダユニット２２には入場券のＲＦタグを読取るためのＲＦタグリーダ２３、入場券に印刷または塗布されている感熱発色剤、感光露光剤を感熱、露光させ変色させるための感熱部、感光部２４からなる。また入場券のＩＤが認証したこと、感熱、感光が成立したことを知らせるためのスピーカ２５、同様に入場券のＩＤが認証したこと、感熱、感光が完了したことを知らせるための表示パネル２６からなる。さらに一般入場者が入場券をかざす位置を間違えなくするためのガイド２７が備え付けられている。
【実施例１】
【００２６】
次に一般入場者が直接ＲＦタグリーダユニット２２に入場券１１をかざし入場する方法について説明する。
【００２７】
一般入場者はまず、ＲＦタグ内蔵入場券１１を入場ゲート５のＲＦタグリーダユニット２２にかざす。ＲＦタグリーダユニット２２には一般入場者が入場券１１をかざしやすくするため、ガイド２７が設けてある。ＲＦタグリーダ部２３で読取った入場券のＩＤ情報は通信回線４を介してＲＦＩＤ情報管理サーバ５に送られ、ＲＦＩＤ情報管理サーバ５は受け取ったＩＤの認証をおこなう。
【００２８】
入場可能なＩＤであった場合、ＲＦＩＤ情報管理サーバ５はＩＤ情報と入場可能である旨の情報をＲＦタグリーダユニット２２に対し返信する。次にＲＦタグリーダユニットは入場券媒体１１に印刷または塗布されている感熱発色剤、感光露光剤１２からなる使用済み等の文字、印を感熱、露光させるため、感熱部、感光照射部２４より熱または紫外線を照射する。入場券媒体１１の感熱発色剤、感光露光剤１２が発色する十分な時間、かざされたことを確認した上、入場を許可する電子音または録音された音声がスピーカ２５より発せられ、利用者はテーマパークに入場が可能となり、会場内の人気エリア、アトラクション等に足を運ぶこととなる。同様に表示パネル２６に入場を許可する表示をすれば、一般入場者はより判りやすい。
【００２９】
また、ＲＦＩＤ情報管理サーバ５にて使用済み券、不正券等と判定された場合、ＲＦＩＤ情報管理サーバ５はＲＦタグリーダユニット２２に対し、ＩＤ情報と入場不可である情報を返信する。この時、感熱部、感光照射部２４から熱または紫外線を照射されない。また電子音または録音された音声でスピーカ２５から入場不可であることが案内される。同様に表示パネル２６に入場を許可しない旨表示する。
【００３０】
さらに入場ゲート１１には必要に応じて、入場可能である時に開くフラップ等を用意してもよい。
【００３１】
ＲＦＩＤ情報管理サーバ５におけるＩＤ情報の管理は、それぞれのＩＤ情報に対し、１つまたは決められた複数のアドレス内にその情報が格納される。データ内にはＩＣ素子のＩＤ情報、入場券シリアル番号、入場券種、アトラクション会場予約情報などが登録される。入場ゲート２，３より読取られたＩＤ情報は、ＲＦＩＤ情報管理サーバ５に送られその内容の確認が行われるが、あらかじめそのＩＤ情報とアドレスとをＲＦＩＤ情報管理サーバ５のプログラムによりリンクしておけば早いレスポンスが期待できる。ＲＦＩＤ情報管理サーバ５内の全ての情報をソートして内容を確認するのではない。そうすることにより、１日に数万人の入場者を見込む大きなテーマパーク等でもスムーズな対応ができる。
【産業上の利用可能性】
【００３２】
利用価値が高く、１日に数万人から数十万人の入場者を見込む大きなイベント会場、テーマパーク等で利用される可能性がある。
【図面の簡単な説明】
【００３３】
【図１】本発明の管理システムを使用するテーマパークの概略見取り図。
【図２】ＲＦタグが内蔵され、感熱部または感光部が塗布または印刷された入場券媒体。
【図３】本システムにて使用する入場ゲートの概略図。
【図４】本システムにて使用するＲＦタグリーダユニットの詳細図。
【符号の説明】
【００３４】
１…テーマパーク会場、２…エリアＡに設置された入場ゲート、３…エリアＢに設置された入場ゲート、４…テーマパーク会場内の通信回線、５…ＲＦＩＤ情報管理サーバ、１１…ＲＦタグが内蔵され、感熱部または感光部が塗布または印刷された入場券媒体、１２…感熱または感光により表示される文字または印、１３…ＲＦタグ、２１…入場ゲート外観、２２…ＲＦタグリーダユニット、２３…ＲＦタグリーダ部、２４…感熱部または感光照射部、２５…スピーカ、２６…表示パネル、２７…入場券をかざしやすくするためのガイド。
【図１】
2007156661.tif 000003
【図２】
2007156661.tif 000004
【図３】
2007156661.tif 000005
【図４】
2007156661.tif 000006